(57)【要約】【課題】あるサービスにおいてユーザが貯めたポイントを、他のサービスで利用できるようにするポイント連携システムを提供すること。【解決手段】複数のポイント管理データベース４８に、個別ユーザ識別情報に対応づけてポイント情報が記憶される。ユーザ情報記憶部３０は、共通ユーザ識別情報と、前記複数のポイント管理データベースそれぞれにおいて個別に管理される個別ユーザ識別情報と、を対応づけてなるユーザ情報を記憶する。変換要求受付部３２は、共通ユーザ識別情報と、変換元データベース識別情報と、変換先データベース識別情報と、を含むポイント変換要求情報を受け付ける。更新要求生成部３４は、ポイント変換要求とユーザ情報とに基づいて、変換元更新要求情報と変換先更新要求情報とを生成する。更新部４２は、変換元更新要求情報と変換先更新要求情報とに基づいて、ポイント管理データベース４８を更新する。【選択図】        図２
2004185589.tif 000002
【特許請求の範囲】
【請求項１】
個別ユーザ識別情報に対応づけてポイント情報を記憶する、複数のポイント管理情報記憶手段と、
共通ユーザ識別情報と、前記複数のポイント管理情報記憶手段それぞれにおいて個別に管理される個別ユーザ識別情報と、を対応づけてなるユーザ情報を記憶するユーザ情報記憶手段と、
共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段と、
前記ポイント変換要求情報に含まれる変換元識別情報によって識別されるポイント管理情報記憶手段において管理される個別ユーザ識別情報である変換元ユーザ識別情報と、変換元ポイント減少量情報と、を含む変換元更新要求情報を、前記ユーザ情報記憶手段に記憶されるユーザ情報と、前記ポイント変換要求情報に含まれる共通ユーザ識別情報と、変換元識別情報と、に基づいて生成する変換元更新要求生成手段と、
前記ポイント変換要求情報に含まれる変換先識別情報によって識別されるポイント管理情報記憶手段において管理される個別ユーザ識別情報である変換先ユーザ識別情報と、変換先ポイント増加量情報と、を含む変換先更新要求情報を、前記ユーザ情報記憶手段に記憶されるユーザ情報と、前記ポイント変換要求情報に含まれる共通ユーザ識別情報と、変換先識別情報と、に基づいて生成する変換先更新要求生成手段と、
前記変換元識別情報によって識別されるポイント管理情報記憶手段に、前記変換元更新要求情報に含まれる変換元ユーザ識別情報に対応づけて記憶されるポイント情報を、前記変換元更新要求情報に含まれる変換元ポイント減少量情報に基づいて更新する変換元更新手段と、
前記変換先識別情報によって識別されるポイント管理情報記憶手段に、前記変換先更新要求情報に含まれる変換先ユーザ識別情報に対応づけて記憶されるポイント情報を、前記変換先更新要求情報に含まれる変換先ポイント増加量情報に基づいて更新する変換先更新手段と、
を含むことを特徴とするポイント連携システム。
【請求項２】
請求項１に記載のポイント連携システムにおいて、
前記ポイント変換要求情報は、変換元ポイント減少量情報を含み、
前記変換先更新要求生成手段は、前記ポイント変換要求情報に含まれる変換元ポイント減少量情報に基づいて、前記変換先ポイント増加量情報を取得する、
ことを特徴とするポイント連携システム。
【請求項３】
請求項２に記載のポイント連携システムにおいて、
前記変換先更新要求生成手段は、前記ポイント変換要求情報に含まれる変換元ポイント減少量情報によって示される変換元ポイント減少量の一部を変換対象とすることを特徴とするポイント連携システム。
【請求項４】
請求項２又は３に記載のポイント連携システムにおいて、
前記変換先更新要求生成手段は、
変換レート情報を記憶する変換レート記憶手段を含み、
前記変換レート情報にさらに基づいて、前記変換先ポイント増加量情報を取得する、
ことを特徴とするポイント連携システム。
【請求項５】
請求項１に記載のポイント連携システムにおいて、
前記ポイント変換要求情報は、変換先ポイント増加量情報を含み、
前記変換元更新要求生成手段は、前記ポイント変換要求情報に含まれる変換先ポイント増加量情報に基づいて、前記変換元ポイント減少量情報を取得する、
ことを特徴とするポイント連携システム。
【請求項６】
請求項５に記載のポイント連携システムにおいて、
前記変換元更新要求生成手段は、前記ポイント変換要求情報に含まれる変換先ポイント増加量情報によって示される変換先ポイント増加量が変換元ポイント減少量の一部に基づくポイント量となるように、前記変換元ポイント減少量情報を取得することを特徴とするポイント連携システム。
【請求項７】
請求項５又は６に記載のポイント連携システムにおいて、
前記変換元更新要求生成手段は、
変換レート情報を記憶する変換レート記憶手段を含み、
前記変換レート情報にさらに基づいて、前記変換元ポイント減少量情報を取得する、
ことを特徴とするポイント連携システム。
【請求項８】
請求項４又は７に記載のポイント連携システムにおいて、
前記変換レート情報は、ポイント変換において、前記変換元ポイント減少量情報によって示される変換元ポイント減少量のポイント価値と、前記変換先ポイント増加量情報によって示される変換先ポイント増加量のポイント価値と、が等価となるように設定されることを特徴とするポイント連携システム。
【請求項９】
請求項４又は７に記載のポイント連携システムにおいて、
前記変換レート情報は、ポイント変換において、前記変換先ポイント増加量情報によって示される変換先ポイント増加量のポイント価値が、前記変換元ポイント減少量情報によって示される変換元ポイント減少量のポイント価値よりも所定分下がるように設定されることを特徴とするポイント連携システム。
【請求項１０】
請求項１乃至９のいずれかに記載のポイント連携システムにおいて、
ポイント変換履歴を記憶する変換履歴記憶手段と、
前記変換元更新要求情報と、前記変換先更新要求情報と、に基づいて、前記ポイント変換履歴を更新する変換履歴更新手段と、
前記ポイント変換履歴に基づいて、ポイント変換履歴情報を生成して出力する変換履歴情報出力手段と、
を含むことを特徴とするポイント連携システム。
【請求項１１】
請求項１乃至１０のいずれかに記載のポイント連携システムにおいて、
個別ユーザ識別情報を含むポイント管理情報に基づくバーコード画像を出力するバーコード出力手段を含むことを特徴とするポイント連携システム。
【請求項１２】
個別ユーザ識別情報に対応づけてポイント情報を記憶する複数のポイント管理情報記憶手段と通信接続されるポイント連携装置において、
共通ユーザ識別情報と、前記複数のポイント管理情報記憶手段それぞれにおいて個別に管理される個別ユーザ識別情報と、を対応づけてなるユーザ情報を記憶するユーザ情報記憶手段と、
共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段と、
前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記ユーザ情報記憶手段に記憶されるユーザ情報と、前記ポイント変換要求情報に含まれる共通ユーザ識別情報と、変換元識別情報と、に基づいて取得する変換元更新要求生成手段と、
前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記ユーザ情報記憶手段に記憶されるユーザ情報と、前記ポイント変換要求情報に含まれる共通ユーザ識別情報と、変換先識別情報と、に基づいて取得する変換先更新要求生成手段と、
前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求手段と、
前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求手段と、
を含むことを特徴とするポイント連携装置。
【請求項１３】
個別ユーザ識別情報に対応づけてポイント情報を記憶する複数のポイント管理情報記憶手段と通信接続可能なポイント連携装置の制御方法において、
共通ユーザ識別情報と、前記複数のポイント管理情報記憶手段それぞれにおいて個別に管理される個別ユーザ識別情報と、を対応づけてなるユーザ情報を記憶手段に記憶させるユーザ情報記憶ステップと、
共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付ステップと、
前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記記憶手段に記憶されるユーザ情報と、前記ポイント変換要求情報に含まれる共通ユーザ識別情報と、変換元識別情報と、に基づいて取得する変換元更新要求生成ステップと、
前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記記憶手段に記憶されるユーザ情報と、前記ポイント変換要求情報に含まれる共通ユーザ識別情報と、変換先識別情報と、に基づいて取得する変換先更新要求生成ステップと、
前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求ステップと、
前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求ステップと、
を含むことを特徴とするポイント連携装置の制御方法。
【請求項１４】
個別ユーザ識別情報に対応づけてポイント情報を記憶する複数のポイント管理情報記憶手段と通信接続可能なポイント連携装置として、コンピュータを機能させるためのプログラムであって、
共通ユーザ識別情報と、前記複数のポイント管理情報記憶手段それぞれにおいて個別に管理される個別ユーザ識別情報と、を対応づけてなるユーザ情報を記憶するユーザ情報記憶手段、
共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段、
前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記ユーザ情報記憶手段に記憶されるユーザ情報と、前記ポイント変換要求情報に含まれる共通ユーザ識別情報と、変換元識別情報と、に基づいて取得する変換元更新要求生成手段、
前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記ユーザ情報記憶手段に記憶されるユーザ情報と、前記ポイント変換要求情報に含まれる共通ユーザ識別情報と、変換先識別情報と、に基づいて取得する変換先更新要求生成手段、
前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求手段、及び、
前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求手段、
として前記コンピュータを機能させるためのプログラム。
【請求項１５】
一のユーザの複数種類のポイント情報をそれぞれにおいて個別に記憶し、管理する複数のポイント管理情報記憶手段と、
該ユーザからの要求に基づき前記各ポイント管理情報記憶手段間で該ユーザのポイントを移動するポイント変換手段と、
を含むことを特徴とするポイント連携システム。
【請求項１６】
請求項１５に記載のポイント連携システムにおいて、
前記変換手段は、予め定めた変換レートに基づいて、前記各ポイント管理情報記憶手段間で該ユーザのポイントを移動すること、
を特徴とするポイント連携システム。
【請求項１７】
請求項１６に記載のポイント連携システムにおいて、
前記変換レートは、移動に係るポイントのポイント価値を当該移動に係るポイント管理情報記憶手段間において等価とする変換レートであること、
を特徴とするポイント連携システム。
【請求項１８】
請求項１６に記載のポイント連携システムにおいて、
前記変換レートは、変換元ポイント管理情報記憶手段から移動されるポイント価値に対して予め定めた分だけ価値を下げた変換レートであること、
を特徴とするポイント連携システム。
【発明の詳細な説明】
【０００１】
【発明の属する技術分野】
本発明は、ポイント連携システム、ポイント連携装置、ポイント連携装置の制御方法及びプログラムに関する。
【０００２】
【背景技術】
物販やゲーム等のサービス利用に応じてユーザがポイントを貯めることができ、該ポイントに基づいて様々な特典が受けられるようになる、いわゆるポイント制度が知られている。
【０００３】
【発明が解決しようとする課題】
従来、あるサービスにおいてユーザが貯めたポイントを、他のサービスで利用することはできなかった。しかしながら、あるポイントを他のポイントに変換可能とするようなポイント連携システムが実現され、あるサービスにおいてユーザが貯めたポイントを他のサービスで利用できるようになれば、ユーザは当該他のサービスに興味を抱くようになり、ビジネスを拡大させることができるものと期待される。
【０００４】
本発明は上記課題に鑑みてなされたものであって、その目的は、あるサービスにおいてユーザが貯めたポイントを、他のサービスで利用できるようにするポイント連携システムを提供することにある。
【０００５】
【課題を解決するための手段】
上記課題を解決するために、本発明に係るポイント連携システムは、個別ユーザ識別情報に対応づけてポイント情報を記憶する、複数のポイント管理データベースと、共通ユーザ識別情報と、前記複数のポイント管理データベースそれぞれにおいて個別に管理される個別ユーザ識別情報と、を対応づけてなるユーザ情報を記憶するユーザ情報記憶手段と、共通ユーザ識別情報と、変換元データベース識別情報と、変換先データベース識別情報と、を含むポイント変換要求を受け付ける変換要求受付手段と、前記ポイント変換要求に含まれる変換元データベース識別情報によって識別されるポイント管理データベースにおいて管理される個別ユーザ識別情報である変換元ユーザ識別情報と、変換元ポイント減少量と、を含む変換元更新要求を、前記ユーザ情報記憶手段に記憶されるユーザ情報と、前記ポイント変換要求に含まれる共通ユーザ識別情報と、変換元データベース識別情報と、に基づいて生成する変換元更新要求生成手段と、前記ポイント変換要求に含まれる変換先データベース識別情報によって識別されるポイント管理データベースにおいて管理される個別ユーザ識別情報である変換先ユーザ識別情報と、変換先ポイント増加量と、を含む変換先更新要求を、前記ユーザ情報記憶手段に記憶されるユーザ情報と、前記ポイント変換要求に含まれる共通ユーザ識別情報と、変換先データベース識別情報と、に基づいて生成する変換先更新要求生成手段と、前記変換元データベース識別情報によって識別されるポイント管理データベースに、前記変換元更新要求に含まれる変換元ユーザ識別情報に対応づけて記憶されるポイント情報を、前記変換元更新要求に含まれる変換元ポイント減少量に基づいて更新する変換元更新手段と、前記変換先データベース識別情報によって識別されるポイント管理データベースに、前記変換先更新要求に含まれる変換先ユーザ識別情報に対応づけて記憶されるポイント情報を、前記変換先更新要求に含まれる変換先ポイント増加量に基づいて更新する変換先更新手段と、を含むことを特徴とする。
【０００６】
また、本発明に係るポイント連携装置は、個別ユーザ識別情報に対応づけてポイント情報を記憶する複数のポイント管理データベースと通信接続されるポイント連携装置において、共通ユーザ識別情報と、前記複数のポイント管理データベースそれぞれにおいて個別に管理される個別ユーザ識別情報と、を対応づけてなるユーザ情報を記憶するユーザ情報記憶手段と、共通ユーザ識別情報と、変換元データベース識別情報と、変換先データベース識別情報と、を含むポイント変換要求を受け付ける変換要求受付手段と、前記ポイント変換要求に含まれる変換元データベース識別情報によって識別されるポイント管理データベースにおいて管理される個別ユーザ識別情報である変換元ユーザ識別情報と、変換元ポイント減少量と、を含む変換元更新要求を、前記ユーザ情報記憶手段に記憶されるユーザ情報と、前記ポイント変換要求に含まれる共通ユーザ識別情報と、変換元データベース識別情報と、に基づいて生成する変換元更新要求生成手段と、前記ポイント変換要求に含まれる変換先データベース識別情報によって識別されるポイント管理データベースにおいて管理される個別ユーザ識別情報である変換先ユーザ識別情報と、変換先ポイント増加量と、を含む変換先更新要求を、前記ユーザ情報記憶手段に記憶されるユーザ情報と、前記ポイント変換要求に含まれる共通ユーザ識別情報と、変換先データベース識別情報と、に基づいて生成する変換先更新要求生成手段と、前記変換元データベース識別情報によって識別されるポイント管理データベースに、前記変換元更新要求に基づく要求を行う変換元更新要求手段と、前記変換先データベース識別情報によって識別されるポイント管理データベースに、前記変換先更新要求に基づく要求を行う変換先更新要求手段と、を含むことを特徴とする。
【０００７】
また、本発明に係るポイント連携装置の制御方法は、個別ユーザ識別情報に対応づけてポイント情報を記憶する複数のポイント管理データベースと通信接続されるポイント連携装置の制御方法において、共通ユーザ識別情報と、前記複数のポイント管理データベースそれぞれにおいて個別に管理される個別ユーザ識別情報と、を対応づけてなるユーザ情報を記憶手段に記憶させるユーザ情報記憶ステップと、共通ユーザ識別情報と、変換元データベース識別情報と、変換先データベース識別情報と、を含むポイント変換要求を受け付ける変換要求受付ステップと、前記ポイント変換要求に含まれる変換元データベース識別情報によって識別されるポイント管理データベースにおいて管理される個別ユーザ識別情報である変換元ユーザ識別情報と、変換元ポイント減少量と、を含む変換元更新要求を、前記記憶手段に記憶されるユーザ情報と、前記ポイント変換要求に含まれる共通ユーザ識別情報と、変換元データベース識別情報と、に基づいて生成する変換元更新要求生成ステップと、前記ポイント変換要求に含まれる前記変換先データベース識別情報によって識別されるポイント管理データベースにおいて管理される個別ユーザ識別情報である変換先ユーザ識別情報と、変換先ポイント増加量と、を含む変換先更新要求を、前記記憶手段に記憶されるユーザ情報と、前記ポイント変換要求に含まれる共通ユーザ識別情報と、変換先データベース識別情報と、に基づいて生成する変換先更新要求生成ステップと、前記変換元データベース識別情報によって識別されるポイント管理データベースに、前記変換元更新要求に基づく要求を行う変換元更新要求ステップと、前記変換先データベース識別情報によって識別されるポイント管理データベースに、前記変換先更新要求に基づく要求を行う変換先更新要求ステップと、を含むことを特徴とする。
【０００８】
また、本発明に係るプログラムは、個別ユーザ識別情報に対応づけてポイント情報を記憶する複数のポイント管理データベースと通信接続されるポイント連携装置として、コンピュータを機能させるためのプログラムであって、共通ユーザ識別情報と、前記複数のポイント管理データベースそれぞれにおいて個別に管理される個別ユーザ識別情報と、を対応づけてなるユーザ情報を記憶するユーザ情報記憶手段、共通ユーザ識別情報と、変換元データベース識別情報と、変換先データベース識別情報と、を含むポイント変換要求を受け付ける変換要求受付手段、前記ポイント変換要求に含まれる前記変換元データベース識別情報によって識別されるポイント管理データベースにおいて管理される個別ユーザ識別情報である変換元ユーザ識別情報と、変換元ポイント減少量と、を含む変換元更新要求を、前記ユーザ情報記憶手段に記憶されるユーザ情報と、前記ポイント変換要求に含まれる共通ユーザ識別情報と、変換元データベース識別情報と、に基づいて生成する変換元更新要求生成手段、前記ポイント変換要求に含まれる前記変換先データベース識別情報によって識別されるポイント管理データベースにおいて管理される個別ユーザ識別情報である変換先ユーザ識別情報と、変換先ポイント増加量と、を含む変換先更新要求を、前記ユーザ情報記憶手段に記憶されるユーザ情報と、前記ポイント変換要求に含まれる共通ユーザ識別情報と、変換先データベース識別情報と、に基づいて生成する変換先更新要求生成手段、前記変換元データベース識別情報によって識別されるポイント管理データベースに、前記変換元更新要求に基づく要求を行う変換元更新要求手段、及び、前記変換先データベース識別情報によって識別されるポイント管理データベースに、前記変換先更新要求に基づく要求を行う変換先更新要求手段、として前記コンピュータを機能させるためのプログラムである。
【０００９】
また、本発明に係るポイント連携システムは、個別ユーザ識別情報に対応づけてポイント情報を記憶する、複数のポイント管理情報記憶手段と、共通ユーザ識別情報と、前記複数のポイント管理情報記憶手段それぞれにおいて個別に管理される個別ユーザ識別情報と、を対応づけてなるユーザ情報を記憶するユーザ情報記憶手段と、共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段と、前記ポイント変換要求情報に含まれる変換元識別情報によって識別されるポイント管理情報記憶手段において管理される個別ユーザ識別情報である変換元ユーザ識別情報と、変換元ポイント減少量情報と、を含む変換元更新要求情報を、前記ユーザ情報記憶手段に記憶されるユーザ情報と、前記ポイント変換要求情報に含まれる共通ユーザ識別情報と、変換元識別情報と、に基づいて生成する変換元更新要求生成手段と、前記ポイント変換要求情報に含まれる変換先識別情報によって識別されるポイント管理情報記憶手段において管理される個別ユーザ識別情報である変換先ユーザ識別情報と、変換先ポイント増加量情報と、を含む変換先更新要求情報を、前記ユーザ情報記憶手段に記憶されるユーザ情報と、前記ポイント変換要求情報に含まれる共通ユーザ識別情報と、変換先識別情報と、に基づいて生成する変換先更新要求生成手段と、前記変換元識別情報によって識別されるポイント管理情報記憶手段に、前記変換元更新要求情報に含まれる変換元ユーザ識別情報に対応づけて記憶されるポイント情報を、前記変換元更新要求情報に含まれる変換元ポイント減少量情報に基づいて更新する変換元更新手段と、前記変換先識別情報によって識別されるポイント管理情報記憶手段に、前記変換先更新要求情報に含まれる変換先ユーザ識別情報に対応づけて記憶されるポイント情報を、前記変換先更新要求情報に含まれる変換先ポイント増加量情報に基づいて更新する変換先更新手段と、を含むことを特徴とする。
【００１０】
また、本発明に係るポイント連携装置は、個別ユーザ識別情報に対応づけてポイント情報を記憶する複数のポイント管理情報記憶手段と通信接続されるポイント連携装置において、共通ユーザ識別情報と、前記複数のポイント管理情報記憶手段それぞれにおいて個別に管理される個別ユーザ識別情報と、を対応づけてなるユーザ情報を記憶するユーザ情報記憶手段と、共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段と、前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記ユーザ情報記憶手段に記憶されるユーザ情報と、前記ポイント変換要求情報に含まれる共通ユーザ識別情報と、変換元識別情報と、に基づいて取得する変換元更新要求生成手段と、前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記ユーザ情報記憶手段に記憶されるユーザ情報と、前記ポイント変換要求情報に含まれる共通ユーザ識別情報と、変換先識別情報と、に基づいて取得する変換先更新要求生成手段と、前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求手段と、前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求手段と、を含むことを特徴とする。
【００１１】
また、本発明に係るポイント連携装置の制御方法は、個別ユーザ識別情報に対応づけてポイント情報を記憶する複数のポイント管理情報記憶手段と通信接続可能なポイント連携装置の制御方法において、共通ユーザ識別情報と、前記複数のポイント管理情報記憶手段それぞれにおいて個別に管理される個別ユーザ識別情報と、を対応づけてなるユーザ情報を記憶手段に記憶させるユーザ情報記憶ステップと、共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付ステップと、前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記記憶手段に記憶されるユーザ情報と、前記ポイント変換要求情報に含まれる共通ユーザ識別情報と、変換元識別情報と、に基づいて取得する変換元更新要求生成ステップと、前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記記憶手段に記憶されるユーザ情報と、前記ポイント変換要求情報に含まれる共通ユーザ識別情報と、変換先識別情報と、に基づいて取得する変換先更新要求生成ステップと、前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求ステップと、前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求ステップと、を含むことを特徴とする。
【００１２】
また、本発明に係るプログラムは、個別ユーザ識別情報に対応づけてポイント情報を記憶する複数のポイント管理情報記憶手段と通信接続可能なポイント連携装置として、コンピュータを機能させるためのプログラムであって、共通ユーザ識別情報と、前記複数のポイント管理情報記憶手段それぞれにおいて個別に管理される個別ユーザ識別情報と、を対応づけてなるユーザ情報を記憶するユーザ情報記憶手段、共通ユーザ識別情報と、変換元のポイント管理情報記憶手段を識別する変換元識別情報と、変換先のポイント管理情報記憶手段を識別する変換先識別情報と、を含むポイント変換要求情報を受け付ける変換要求受付手段、前記ポイント変換要求情報に含まれる前記変換元識別情報によって識別されるポイント管理情報記憶手段において管理される個別ユーザ識別情報である変換元ユーザ識別情報と、変換元ポイント減少量情報と、を、前記ユーザ情報記憶手段に記憶されるユーザ情報と、前記ポイント変換要求情報に含まれる共通ユーザ識別情報と、変換元識別情報と、に基づいて取得する変換元更新要求生成手段、前記ポイント変換要求情報に含まれる前記変換先識別情報によって識別されるポイント管理情報記憶手段において管理される個別ユーザ識別情報である変換先ユーザ識別情報と、変換先ポイント増加量情報と、を、前記ユーザ情報記憶手段に記憶されるユーザ情報と、前記ポイント変換要求情報に含まれる共通ユーザ識別情報と、変換先識別情報と、に基づいて取得する変換先更新要求生成手段、前記変換元識別情報によって識別されるポイント管理情報記憶手段に、前記変換元ユーザ識別情報に対応づけて記憶されるポイント情報を、前記変換元ポイント減少量情報に基づいて更新させる変換元更新要求手段、及び、前記変換先識別情報によって識別されるポイント管理情報記憶手段に、前記変換先ユーザ識別情報に対応づけて記憶されるポイント情報を、前記変換先ポイント増加量情報に基づいて更新させる変換先更新要求手段、として、サーバコンピュータやパーソナルコンピュータ等の前記コンピュータを機能させるためのプログラムである。
【００１３】
本発明によれば、複数のポイント管理データベース（ポイント管理情報記憶手段）にはそれぞれ、個別ユーザ識別情報に対応づけてポイント情報が記憶される。また、共通ユーザ識別情報と個別ユーザ識別情報とを対応づけてなるユーザ情報が記憶される。ここで、共通ユーザ識別情報は、ポイント連携システム全体において各ユーザを識別するためのユーザ識別情報であり、例えばポイント連携装置において管理されるユーザ識別情報である。個別ユーザ識別情報は、ポイント管理データベースそれぞれにおいて各ユーザを識別するためのユーザ識別情報であり、ポイント管理データベースそれぞれにおいて個別に管理されるユーザ識別情報である。ポイント情報は、例えばポイント（「コイン」や「メダル」等、他の名前で呼ばれるものを含む）の残高を表す数値情報等である。
【００１４】
そして、共通ユーザ識別情報と、変換元のポイント管理データベースを識別する変換元データベース識別情報（変換元のポイント管理情報記憶手段を識別する変換元識別情報）と、変換先のポイント管理データベースを識別する変換先データベース識別情報（変換先のポイント管理情報記憶手段を識別する変換先識別情報）と、を含むポイント変換要求情報を受け付ける。そして、該ポイント変換要求情報に含まれる変換元データベース識別情報によって識別されるポイント管理データベースにおいて管理される個別ユーザ識別情報である変換元ユーザ識別情報と、変換元ポイント減少量情報と、を含む変換元更新要求情報を、ユーザ情報と、該ポイント変換要求情報に含まれる共通ユーザ識別情報と、変換元データベース識別情報と、に基づいて生成する。また、該ポイント変換要求情報に含まれる変換先データベース識別情報によって識別されるポイント管理データベースにおいて管理される個別ユーザ識別情報である変換先ユーザ識別情報と、変換先ポイント増加量情報と、を含む変換先更新要求情報を、ユーザ情報と、該ポイント変換要求情報に含まれる共通ユーザ識別情報と、変換先データベース識別情報と、に基づいて生成する。ここで、ポイント変換要求情報は１又は複数のポイント種類から他のポイント種類へのポイント変換要求を示す情報（データ）である。変換元更新要求情報は変換元のポイント管理データベースに対するポイント情報の更新要求を示す情報（データ）である。変換先更新要求情報は変換先のポイント管理データベースに対するポイント情報の更新要求を示す情報（データ）である。変換元ポイント減少量情報は変換元ポイント種類の残高をどれだけ減少させるかを示す情報（データ）である。変換先ポイント増加量情報は変換先ポイント種類の残高をどれだけ増加させるかを示す情報（データ）である。
【００１５】
そして、変換元データベース識別情報によって識別されるポイント管理データベースに記憶されるポイント情報のうち、変換元更新要求情報に含まれる変換元ユーザ識別情報に対応づけて記憶されるポイント情報を、変換元更新要求情報に含まれる変換元ポイント減少量情報に基づいて更新する。また、変換先データベース識別情報によって識別されるポイント管理データベースに記憶されるポイント情報のうち、変換先更新要求情報に含まれる変換先ユーザ識別情報に対応づけて記憶されるポイント情報を、変換先更新要求情報に含まれる変換先ポイント増加量情報に基づいて更新する。
【００１６】
こうすれば、１又は複数のあるサービスに関連するポイントから、他のサービスに関連するポイントへ変換が、共通ユーザ識別情報によって管理され、ユーザは容易にポイントの変換を行うことができる。このため、一方のサービスのユーザが他方のサービスに興味を抱くようにできる。
【００１７】
また、本発明の一態様では、前記ポイント変換要求は、変換元ポイント減少量を含み、前記変換先更新要求生成手段は、変換レート情報を記憶する変換レート記憶手段と、を含み、前記変換レート情報と、前記ポイント変換要求に含まれる変換元ポイント減少量と、に基づいて、前記変換先ポイント増加量を取得する、ことを特徴とする。こうすれば、変換元となるポイントと変換先となるポイントとの間に変換レートを定めることができるようになり、変換先ポイントの増加量を変換元ポイント減少量に基づいて取得することができるようになる。
【００１８】
また、本発明の一態様では、前記ポイント変換要求情報は、変換元ポイント減少量情報を含み、前記変換先更新要求生成手段は、前記ポイント変換要求情報に含まれる変換元ポイント減少量情報に基づいて、前記変換先ポイント増加量情報を取得する、ことを特徴とする。こうすれば、ポイント変換要求において例えば指定等された変換元ポイント減少量に基づいて、変換先ポイント増加量を取得できるようになる。
【００１９】
また、本発明の一態様では、前記変換先更新要求生成手段は、前記ポイント変換要求情報に含まれる変換元ポイント減少量情報によって示される変換元ポイント減少量の一部を変換対象とすることを特徴とする。こうすれば、ポイント変換要求において例えば指定等された変換元ポイント減少量の一部を変換対象として、変換先ポイント増加量を取得できるようになる。
【００２０】
また、本発明の一態様では、前記変換先更新要求生成手段は、変換レート情報を記憶する変換レート記憶手段を含み、前記変換レート情報にさらに基づいて、前記変換先ポイント増加量情報を取得する、ことを特徴とする。こうすれば、変換元となるポイント種類と変換先となるポイント種類との間に変換レートを定めることができるようになり、この変換レートと、ポイント変換要求において例えば指定等された変換元ポイント減少量とに基づいて、変換先ポイント増加量を取得できるようになる。
【００２１】
また、本発明の一態様では、前記ポイント変換要求は、変換先ポイント増加量を含み、前記変換元更新要求生成手段は、変換レート情報を記憶する変換レート記憶手段と、を含み、前記変換レート情報と、前記ポイント変換要求に含まれる変換先ポイント増加量と、に基づいて、前記変換元ポイント減少量を取得する、ことを特徴とする。こうすれば、変換元となるポイントと変換先となるポイントとの間に変換レートを定めることができるようになり、変換先ポイントの増加量に基づいて変換元ポイント減少量を取得することができるようになる。
【００２２】
また、本発明の一態様では、前記ポイント変換要求情報は、変換先ポイント増加量情報を含み、前記変換元更新要求生成手段は、前記ポイント変換要求情報に含まれる変換先ポイント増加量情報に基づいて、前記変換元ポイント減少量情報を取得する、ことを特徴とする。こうすれば、ポイント変換要求において例えば指定等された変換先ポイント増加量に基づいて、変換元ポイント減少量を取得できるようになる。
【００２３】
前記変換元更新要求生成手段は、前記ポイント変換要求情報に含まれる変換先ポイント増加量情報によって示される変換先ポイント増加量が変換元ポイント減少量の一部に基づくポイント量となるように、前記変換元ポイント減少量情報を取得することを特徴とする。こうすれば、変換先ポイント増加量が変換元ポイント減少量の一部に基づくポイント量となるように、変換元ポイント減少量を取得できるようになる。
【００２４】
また、本発明の一態様では、前記変換元更新要求生成手段は、変換レート情報を記憶する変換レート記憶手段を含み、前記変換レート情報にさらに基づいて、前記変換元ポイント減少量情報を取得する、ことを特徴とする。こうすれば、変換元となるポイント種類と変換先となるポイント種類との間に変換レートを定めることができるようになり、この変換レートと、ポイント変換要求において例えば指定等された変換先ポイント増加量に基づいて、変換元ポイント減少量を取得できるようになる。
【００２５】
また、本発明の一態様では、ポイント変換履歴を記憶する変換履歴記憶手段と、前記変換元更新要求情報と、前記変換先更新要求情報と、に基づいて、前記ポイント変換履歴を更新する変換履歴更新手段と、前記ポイント変換履歴に基づいて、ポイント変換履歴情報を生成して出力する変換履歴情報出力手段と、を含むことを特徴とする。ここで、出力は、例えば画面表示、印刷や送信等することである。こうすれば、ポイント変換履歴を記憶し、該ポイント変換履歴に基づくポイント変換履歴情報を出力することができるようになる。
【００２６】
また、本発明の一態様では、個別ユーザ識別情報を含むポイント管理情報に基づくバーコード画像を出力するバーコード出力手段を含むことを特徴とする。こうすれば、個別ユーザ識別情報を含むポイント管理情報に基づくバーコード画像を出力することができるようになる。
【００２７】
また、本発明の一態様では、前記変換レート情報は、ポイント変換において、前記変換元ポイント減少量情報によって示される変換元ポイント減少量のポイント価値と、前記変換先ポイント増加量情報によって示される変換先ポイント増加量のポイント価値と、が等価となるように設定されることを特徴とする。こうすれば、変換元ポイント減少量と変換先ポイント増加量とのポイント価値が等価となるようにすることができる。ここで、ポイント価値はポイント種類の価値を示すものであり、各ポイントサービスごと（例えば各ポイント管理データベースごと）に定められるものである。ポイント価値は、例えばポイントがあるサービスにおいて仮想貨幣として機能する（金銭的価値を有する）場合にはその貨幣価値（金銭的価値）によって示される。また例えば、ポイントがあるサービスにおいてポイント量に応じた商品と交換可能な場合にはその商品の価値によって示される。変換元ポイント減少量又は変換先ポイント増加量のポイント価値は、各ポイントサービスごとに定められるポイント価値に基づいて算出される。例えば、各ポイントサービスごとに定められる、所定ポイント量あたりのポイント価値（例えばポイント単位量あたりのポイント価値）に基づいて算出される。
【００２８】
また、本発明の一態様では、前記変換レート情報は、ポイント変換において、前記変換先ポイント増加量情報によって示される変換先ポイント増加量のポイント価値が、前記変換元ポイント減少量情報によって示される変換元ポイント減少量のポイント価値よりも所定分下がるように設定されることを特徴とする。こうすれば、変換先ポイント増加量のポイント価値が変換元ポイント減少量のポイント価値よりも低くなるようにすることができる。ポイント変換において、変換に係るポイントのポイント価値を下げるようにすることができる。
【００２９】
また、本発明に係るポイント連携システムは、１のユーザの複数種類のポイント情報をそれぞれにおいて個別に記憶し、管理する複数のポイント管理情報記憶手段と、該ユーザからの要求に基づき前記各ポイント管理情報記憶手段間で該ユーザのポイントを移動するポイント変換手段と、を含むことを特徴とする。
【００３０】
また、本発明の一態様では、前記変換手段は、予め定めた変換レートに基づいて、前記各ポイント管理情報記憶手段間で該ユーザのポイントを移動すること、を特徴とする。
【００３１】
また、本発明の一態様では、前記変換レートは、移動に係るポイントのポイント価値を当該移動に係るポイント管理情報記憶手段間において等価とする変換レートであること、を特徴とする。
【００３２】
また、本発明の一態様では、前記変換レートは、変換元ポイント管理情報記憶手段から移動されるポイント価値に対して予め定めた分だけ価値を下げた変換レートであること、を特徴とする。
【００３３】
【発明の実施の形態】
以下、本発明の一実施形態について図面に基づき詳細に説明する。
【００３４】
図１は、本発明の一実施形態に係るポイント連携システムの全体構成を示す図である。同図に示すように、このポイント連携システム１０では、インターネット等のデータ通信ネットワーク１２に、ポイント連携サーバ１４、ポイント管理サーバ１６ａ〜１６ｃ及び携帯電話基地局２６が直接又は間接に接続されている。
【００３５】
ポイント連携サーバ１４は、公知のサーバコンピュータシステムを含んで構成されており、携帯電話２４からアクセスされ、ポイント連携（変換）サービスを提供する。ポイント連携サーバ１４には、公知のハードディスク記憶装置から構成されるデータベース１８が接続されている。
【００３６】
また、ポイント管理サーバ１６ａ〜１６ｃは、ポイント連携サーバ１４と同様に公知のサーバコンピュータシステムを含んで構成されており、ポイント連携サーバ１４からアクセスされる。ポイント管理サーバ１６ａ〜１６ｃには、それぞれ公知のハードディスク記憶装置から構成されるデータベース２０ａ〜２０ｃが接続されている。
【００３７】
携帯電話機２４は、入力部（ダイヤルボタン等）及び表示部（液晶表示装置等）を備えており、通話機能に加え、特にデータ通信機能を備えている。そして、携帯電話基地局２６及び通信ネットワーク１２を介してポイント連携サーバ１４にアクセスして、ＨＴＴＰ（Ｈｙｐｅｒｔｅｘｔ  Ｔｒａｎｓｆｅｒ  Ｐｒｏｔｏｃｏｌ）や独自プロトコル等に則って、各種要求を送信したり、各種画面データを受信したりできるようになっている。
【００３８】
以上の構成を有するポイント連携システム１０では、ポイント管理サーバ１６ａ〜１６ｃで管理される、あるサービスに関連するポイントと、他のポイント管理サーバ１６ａ〜１６ｃで管理される、他のサービスに関連するポイントとが連携され、ユーザが、あるサービスに関連するポイントを他のサービスに関連するポイントへ変換することができるようになっている。
【００３９】
図２は、ポイント連携システム１０の機能構成を示すブロック図である。同図では、ポイント連携システム１０で実現される機能のうち、本発明に関係するものを中心として示している。同図に示すように、ポイント連携システム１０で実現される機能には、ユーザ情報記憶部３０、変換要求受付部３２、更新要求生成部３４、更新部４２、ポイント管理データベース（ポイント管理情報記憶部）４８、変換履歴更新部５０、変換履歴記憶部５２及び変換履歴出力部５４が含まれる。
【００４０】
これらの機能は、ポイント連携サーバ１４又はポイント管理サーバ１６ａ〜１６ｃが、ＣＧＩ（Ｃｏｍｍｏｎ  Ｇａｔｅｗａｙ  Ｉｎｔｅｒｆａｃｅ）等のプログラムを実行することによって実現される。また、これらの機能は、ポイント連携サーバ１４又はデータベース１８によって実現されるようにしてもよいし、ポイント管理サーバ１６ａ〜１６ｃ又はデータベース２０ａ〜２０ｃによって実現されるようにしてもよい。なお、以下では、ユーザ情報記憶部３０、変換要求受付部３２、更新要求生成部３４は、変換履歴更新部５０、変換履歴記憶部５２及び変換履歴出力部５４は、ポイント連携サーバ１４及びデータベース１８によって実現されるものとして説明する。また、更新部４２及びポイント管理データベース４８は、ポイント管理サーバ１６ａ〜１６ｃ及びデータベース２０ａ〜２０ｃによって実現されるものとして説明する。
【００４１】
ユーザ情報記憶部３０は、主としてデータベース１８により構成され、共通ユーザ識別情報と、個別ユーザ識別情報と、を対応づけてなるユーザ情報を記憶する。ここで、共通ユーザ識別情報は、ポイント連携サービスにおいて各ユーザを識別するためのユーザ識別情報である。個別ユーザ識別情報は、各ポイントサービスにおいて各ユーザを識別するためのユーザ識別情報であり、ポイント管理データベースそれぞれにおいて個別に管理されるユーザ識別情報である。ユーザ情報は、例えば、図３に示すような共通ユーザ情報テーブルと、図４に示すような個別ユーザ情報テーブルを含む。
【００４２】
図３に示すように、共通ユーザ情報テーブルには、共通ユーザＩＤ（共通ユーザ識別情報）に対応づけて、共通パスワード及びユーザ名が記憶されている。なお、他にも電子メールアドレス等の個人情報を記憶させるようにしてもよい。共通ユーザＩＤと共通パスワードは、ポイント連携システム１０によって提供されるポイント連携サービスを利用する上で必要となるものである（図１２参照）。ポイント連携システム１０によって提供されるポイント連携サービスの利用がユーザによって申し込まれると、該ユーザに対して共通ユーザＩＤ及び共通パスワードが発行され、共通ユーザ情報テーブルに該ユーザの情報が登録されることになる。
【００４３】
図４に示すように、個別ユーザ情報テーブルには、共通ユーザＩＤに対応づけて、ポイントＩＤ、個別ユーザＩＤ（個別ユーザ識別情報）及び認証キーが記憶されている。個別ユーザＩＤは各ポイントサービスにおいてユーザを識別するためのものであり、ポイント管理データベース４８において個別に管理されるユーザ識別情報である。ポイント管理データベース４８では、独自に管理するポイントについて、例えば図５に示すような会員情報テーブル（同図（ａ））とポイント利用情報テーブル（同図（ｂ））とが記憶される。これらは、本ポイント連携システム１０とは別個に、ポイントサービス提供者（ポイントを発行する業者等）によって管理されるものである。例えば、会員情報テーブルには、ポイントカードの発行を受けたユーザ（ポイントカードサービスに入会したユーザ）に関する情報が登録される。また、例えば、ポイント利用情報テーブルには、ユーザが商品購入等をした場合に発生するポイントや消費されるポイントについて登録される。
【００４４】
図４において、ポイントＩＤは、ポイント種類を識別する情報である。ポイント連携システム１０では、図６に示すようなポイント連携情報テーブルが記憶される。ポイント連携情報テーブルは、ポイント連携システム１０によって提供されるポイント連携サービスの対象であるポイント種類を示すものであり、ポイントＩＤに対応づけて、ポイント名及びＵＲＬ（Ｕｎｉｆｏｒｍ  Ｒｅｓｏｕｒｃｅ  Ｌｏｃａｔｏｒｓ）等を記憶している。ポイント連携情報テーブルには、ポイントサービス提供者（ポイントを発行する業者等）によってポイント連携サービスへの参加が申し込まれた場合に、該ポイント種類に関する情報が登録される。ポイント連携情報テーブルにポイント種類が登録されると、ユーザは連携対象として該ポイント種類を選択できるようになる。ＵＲＬは、ポイントＩＤによって識別されるポイント種類を管理するポイント管理データベース４８へアクセスするためのＣＧＩプログラムへのＵＲＬである。したがって、ポイント連携システム１０では、ポイント管理データベース４８に記憶される情報を参照したり、更新したりする場合には、該ＵＲＬに基づいて、所定ＣＧＩプログラムに所定引数を指定することによって行うようになっている。なお、以下では、ポイント連携情報テーブルはデータベース１８に記憶されるものとして説明する。また、ポイント「Ａ」は、ポイント管理サーバ１６ａ及びデータベース２０ａによって管理され、ポイント「Ｂ」は、ポイント管理サーバ１６ｂ及びデータベース２０ｂによって管理され、ポイント「Ｃ」は、ポイント管理サーバ１６ｃ及びデータベース２０ｃによって管理されるものとして説明する。
【００４５】
認証キーは、ポイント管理データベース４８にアクセスする場合に、個別パスワードの代わりとして使用されるものである。すなわち、「ＵＩＤ１」のユーザについて、ポイント「Ａ」の残高を照会等する場合には、ＩＤとして「ＡＵＩＤ１」を、パスワードとして個別パスワード「ＡＰＷＤ１」の代わりに「ＡＫＥＹ１」を渡すことによって、認証が行われるようになっている。個別パスワードをポイント管理データベース４８にアクセスする側で保持し、ポイント管理データベース４８にアクセスする場合には、この個別パスワードを使用するようにすると、個別パスワードがポイント管理データベース４８側で変更される度に、保持する個別パスワードも併せて変更する必要がある。通常、ＩＤ（個別ユーザＩＤ）は、一旦発行された後には変更されることがほとんどないのに対し、パスワード（個別パスワード）は、セキュリティの観点からも変更されるのが一般的である。しかし、認証キーを別途用意し、個別パスワードの代わりに使用するようにすると、このようなことを考慮する必要がない。
【００４６】
変換要求受付部３２は、例えばＣＰＵ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ、プログラムを含んで構成され、ポイント変換要求を受け付ける。変換要求受付部３２は、データ通信ネットワークを介してポイント変換要求を受信する場合には、例えば公知の通信インタフェースを含んで構成される。ここで、ポイント変換要求は、共通ユーザ識別情報（共通ユーザＩＤ）、変換元データベース識別情報（例えば、変換元とするポイントＩＤ）、変換先データベース識別情報（例えば、変換先とするポイントＩＤ）を含み、具体的にはポイント変換要求を示すデータである。また、ポイント変換要求は、変換元のポイント減少量又は／及び変換先のポイント増加量を示す情報等を含むようにしてもよい。
【００４７】
更新要求生成部３４は、変換元更新要求生成部３６、変換先更新要求生成部３８及び変換レート記憶部４０を含む。変換元更新要求生成部３６及び変換先更新要求生成部３８は、例えばＣＰＵ、ＲＡＭやＲＯＭ等のメモリ、プログラムを含んで構成される。変換レート記憶部４０は、例えば公知のハードディスク記憶装置やデータベースマネージメントシステムを含んで構成される。
【００４８】
変換先更新要求生成部３８は、ユーザ情報記憶部３０に記憶されるユーザ情報と、ポイント変換要求（変換要求受付部３２によって受け付けられる）に含まれる共通ユーザ識別情報と、変換先データベース識別情報と、に基づいて、変換先更新要求を生成する。変換先更新要求は、変換先ユーザ識別情報と、変換先ポイント増加量を示す情報と、を含み、具体的には変換先ポイント管理データベースに対するポイント情報更新要求を示すデータである。変換先ユーザ識別情報は変換先のポイントサービスにおいて各ユーザを識別するユーザ識別情報であり、変換先ポイント管理データベースにおいて管理される個別ユーザ識別情報である。変換先ポイント管理データベースは変換先ポイント種類を管理するポイント管理データベースであり、ポイント変換要求（変換要求受付部３２によって受け付けられる）に含まれる変換先データベース識別情報によって識別されるポイント管理データベースである。
【００４９】
なお、ポイント変換要求に変換元ポイント減少量を示す変換元ポイント減少量情報が含まれる場合には、変換先更新要求生成部３８は、該ポイント変換要求に含まれる変換元ポイント減少量情報によって示される変換元ポイント減少量に基づいて変換先ポイント増加量を取得し、変換先更新要求を生成するようにしてもよい。この場合、該ポイント変換要求に含まれる変換元ポイント減少量情報によって示される変換元ポイント減少量の一部を変換対象とするようにしてもよい。すなわち、該変換元ポイント減少量を割引したもの（例えば、該変換元ポイント減少量から所定量減じたものや該変換元ポイント減少量に所定率を乗じたもの）を変換対象とし、これに基づいて変換先ポイント増加量を取得するようにしてもよい。
【００５０】
この場合、割引量記憶部に割引量情報を記憶させておくようにすればよい。そして、変換先更新要求生成部３８は、この割引量情報にさらに基づいて変換先ポイント増加量を取得するようにすればよい。割引量記憶部は、例えば公知のハードディスク記憶装置やデータベースマネージメントシステムを含んで構成されるようにすればよい。割引量情報は、変換元ポイント種類と変換先ポイント種類との組み合わせに対応する割引量を示すものであり、例えば図２５に示すようにすればよい。同図に示すように、割引量情報には、変換元ポイント種類と変換先ポイント種類との組み合わせに対応づけて、割引量を記憶させるようにすればよい。ここで、割引量は、割引するポイント量を示すようにしてもよいし、割引率を示すようにしてもよいし、変換対象ポイント率（１−割引率）を示すようにしてもよい。同図は、割引量を変換対象ポイント率とした例を示している。割引量は、変換可能なポイント種類同士の組み合わせについてのみ記憶させておくようにすればよい。ここでは、変換元ポイント種類と変換先ポイント種類との組み合わせに対応して割引量を記憶させるようにしたが、ポイントの変換方向に関係なくポイント種類の組み合わせに対応して割引量を記憶させるようにしてもよいし、ポイント種類の組み合わせに関係なくポイント連携システム１０において割引量が一定となるようにしてもよい。
【００５１】
変換元更新要求生成部３６は、ユーザ情報記憶部３０に記憶されるユーザ情報と、ポイント変換要求（変換要求受付部３２によって受け付けられる）に含まれる共通ユーザ識別情報と、変換元データベース識別情報と、に基づいて、変換元更新要求を生成する。変換元更新要求は、変換元ユーザ識別情報と、変換元ポイント減少量を示す情報と、を含み、具体的には変換元ポイント管理データベースに対するポイント情報更新要求を示すデータである。変換元ユーザ識別情報は変換元のポイントサービスにおいて各ユーザを識別するユーザ識別情報であり、変換元ポイント管理データベースにおいて管理される個別ユーザ識別情報である。変換元ポイント管理データベースは変換元ポイント種類を管理するポイント管理データベースであり、ポイント変換要求（変換要求受付部３２によって受け付けられる）に含まれる変換元データベース識別情報によって識別されるポイント管理データベースである。
【００５２】
なお、ポイント変換要求に変換先ポイント増加量を示す変換先ポイント増加量情報が含まれる場合には、変換元更新要求生成部３６は、当該ポイント変換要求に含まれる変換先ポイント増加量情報によって示される変換先ポイント増加量に基づいて変換元ポイント減少量を取得し、変換元更新要求を生成するようにしてもよい。この場合、ポイント変換要求に含まれる変換先ポイント増加量情報によって示される変換先ポイント増加量が変換元ポイント減少量の一部に基づくポイント量となるように、変換元ポイント減少量を取得するようにしてもよい。変換元更新要求生成部３６は、例えば前述したような割引量情報にさらに基づいて変換元ポイント減少量を取得するようにしてもよい。
【００５３】
変換レート記憶部４０は、変換レート情報を記憶する。変換レート情報は、変換可能なポイント種類の組み合わせと、変換不可能なポイント種類の組み合わせと、を示すとともに、変換可能なポイント種類の組み合わせについては、その変換レートを示すものであり、例えば図７に示すようになっている。同図によれば、ポイント「Ａ」をポイント「Ｂ」に変換する場合には、変換に係るポイント「Ａ」のポイント数の１／２倍のポイント数が、ポイント「Ｂ」の残高に加算されることになる。逆に、ポイント「Ｂ」をポイント「Ａ」に変換する場合には、変換に係るポイント「Ｂ」のポイント数の２倍のポイント数が、ポイント「Ａ」の残高に加算されることになる。また、同図において、「＊」はポイント変換不可能であることを示している。なお、変換先更新要求生成部３８は、ポイント変換要求に変換元ポイント減少量を示す情報が含まれるとき、該変換元ポイント減少量と、変換レート記憶部４０に記憶される変換レート情報と、に基づいて、変換先ポイント増加量を取得するようにしてもよい。また、変換元更新要求生成部３６は、ポイント変換要求に変換先ポイント増加量を示す情報が含まれるとき、該変換先ポイント増加量と、変換レート記憶部４０に記憶される変換レート情報と、に基づいて、変換元ポイント減少量を取得するようにしてもよい。
【００５４】
ここで、変換レート情報は、例えば異なるポイント種類間におけるポイント変換が等価変換となるように設定すればよい。各ポイント種類についてポイント単位量（例えば１ポイント）当たりのポイント価値が定められている場合には、これらに基づいて算出される、ポイント変換における変換元ポイント種類と変換先ポイント種類とに対するポイント増減量のポイント価値が等しく（又は同等に）なるように、変換レート情報を設けるようにすればよい。例えば、ポイント「Ａ」に関連するサービスでは１ポイントを１円として使用できるようになっており、ポイント「Ｂ」に関連するサービスでは１ポイントを２円として使用できるようになっている場合には、図７に示すように変換レート情報を設ければよい。同図によれば、ユーザがポイント「Ａ」について１００ポイントをポイント「Ｂ」に変換すると、ポイント「Ｂ」には５０ポイント加算されることになる。この場合、ポイント「Ａ」においては、１００ポイントは１００円の価値を有し、ポイント「Ｂ」においては、５０ポイントは１００円の価値を有するため、ポイントの等価変換が行われるようになっている。また、一のポイントサービスにおいてポイント量に応じて商品等と交換可能な場合において、所定商品と交換可能な所定ポイント量を他のポイントサービスのポイントに変換する場合には、当該他のポイントサービスにおいて当該所定商品と同程度の価値である商品等と交換可能なポイント量が、或いは当該所定商品と同程度の金銭的価値であるポイント量が、当該他のポイントサービスのポイント残高に加算されるように、変換レート情報を設けるようにしてもよい。なお、各ポイント種類についてポイント単位量当たりのポイント価値が定められている場合には、これらの情報を記憶させておき、ポイント変換の際には、これらの情報（各ポイントサービスにおいて定められるポイント単位量当たりのポイント価値）に基づいて等価変換が実現されるようにしてもよい。
【００５５】
なお、変換先更新要求生成部３８は、ポイント変換要求に変換元ポイント減少量を示す情報が含まれる場合、該変換元ポイント減少量に変換対象ポイント率（図２５参照）を乗じ、さらにこれに変換レートを乗ずることによって、変換先ポイント増加量を取得するようにしてもよい。また、該変換元ポイント減少量に変換レートを乗じた後に、これに変換対象ポイント率を乗ずることによって、変換先ポイント増加量を取得するようにしてもよい。変換レート記憶部４０と割引量記憶部とは別に設けるようにしてもよいし、変換レート情報と割引量情報とを統合するようにしてもよい。例えば、図７において変換可能なポイント種類の組み合わせに対応づけて、変換レートと変換対象ポイント率とを乗じたものを記憶させるようにしてもよい。
【００５６】
更新部４２は、変換元更新部４４及び変換先更新部４６を含む。変換元更新部４４及び変換先更新部４６は、例えばＣＰＵ、ＲＡＭやＲＯＭ等のメモリ、プログラムを含んで構成される。変換元更新部４４は、変換元ユーザ識別情報に対応づけて変換元ポイント管理データベース（変換元データベース識別情報によって識別されるポイント管理データベース４８）に記憶されるポイント情報を、変換元更新要求に含まれる変換元ポイント減少量を示す情報に基づいて、変換元ポイント減少量だけ残高が減るように更新する。変換先更新部４６は、変換先ユーザ識別情報に対応づけて変換先ポイント管理データベース（変換先データベース識別情報によって識別されるポイント管理データベース４８）に記憶されるポイント情報を、変換先更新要求に含まれる変換先ポイント増加量を示す情報に基づいて、変換先ポイント増加量だけ残高が増えるように更新する。例えば、変換元更新部４４や変換先更新部４６は、データ通信ネットワークを介して、変換元更新要求や変換先更新要求（具体的にはこれらを示すデータ）をそれぞれ受信し、ポイント管理データベース４８を更新する。
【００５７】
ポイント管理データベース４８は、主としてデータベース２０ａ〜２０ｃにより構成され、個別に管理するユーザ識別情報（個別ユーザ識別情報）に対応づけてポイント情報を記憶する。ポイント情報は、例えばポイントの残高を表す数値情報等である。ポイント管理データベース４８は、例えば図８〜図１０に示すようなポイント情報テーブルを記憶する。同図に示すように、ポイント情報テーブルには、個別ユーザＩＤに対応づけて、認証キー及びポイント残高が記憶される。ポイント連携システム１０では、後述するポイント連携登録（図１４参照）が行われると、所定のポイント情報テーブルに情報が登録されるようになっている。ポイント残高は、更新部４２によって更新される。また、ポイント残高は、ポイント利用情報テーブルになされた更新に基づいて、所定タイミングで更新されるようになっている。すなわち、ポイント残高について、ポイント情報テーブルとポイント利用情報テーブルは同期をとるようになっている。例えば、ポイント情報テーブルが参照されたタイミングや、ポイント情報テーブルが更新されたタイミングや、ポイント利用情報テーブルが更新されたタイミングで、同期をとるようにすればよい。なお、ここで、図８はポイント「Ａ」に関するポイント情報テーブルを示しており、図９はポイント「Ｂ」に関するポイント情報テーブルを示しており、図１０はポイント「Ｃ」に関するポイント情報テーブルを示している。
【００５８】
変換履歴更新部５０は、例えばＣＰＵ、ＲＡＭやＲＯＭ等のメモリ、プログラムを含んで構成され、変換元更新要求（具体的には変換元更新要求を示すデータ）と、変換先更新要求（具体的には変換先更新要求を示すデータ）と、に基づいて、変換履歴記憶部５２に記憶されるポイント変換履歴を更新する。
【００５９】
変換履歴記憶部５２は、主としてデータベース１８を含んで構成され、ポイント変換履歴を記憶する。変換履歴記憶部５２は、例えば図１１に示すようなポイント変換履歴テーブルを記憶する。ポイント変換履歴テーブルは、いつ、どのユーザによって、どのポイント種類からどのポイント種類へ、どれだけのポイント数の変換が実行されたか、を記憶するためのものである。ポイント変換履歴テーブルは、例えば、変換履歴ＩＤ、変換日、共通ユーザＩＤ、変換元ポイントＩＤ、変換元個別ユーザＩＤ、変換元ポイント減少数（変換元ポイント減少量）、変換先ポイントＩＤ、変換先個別ユーザＩＤ及び変換先ポイント増加数（変換先ポイント増加量）を含む。
【００６０】
また、ポイント変換履歴テーブルには、例えば図２６に示すように、ポイント割引数（割引量）を含むようにしてもよい。ポイント割引数は、例えば変換元ポイント減少数に割引率（図２５参照）を乗じることによって算出される。同図の例では、変換元ポイント減少数からポイント割引数を差し引いたポイント数（変換対象ポイント数）が、変換レート情報（図７参照）に基づいて、変換先ポイント種類に変換されたことを示している。
【００６１】
変換履歴情報出力部５４は、例えばＣＰＵ、ＲＡＭやＲＯＭ等のメモリ、プログラムを含んで構成され、変換履歴記憶部５２に記憶されるポイント変換履歴に基づいて、ポイント変換履歴情報を生成して出力（例えば、画面表示、印刷や送信等）する。ここで、ポイント変換履歴情報は、例えば、各ポイント種類間のポイント変換履歴を所定期間ごとに集計したものとすればよい。図１１に示すポイント変換履歴テーブルであれば、変換日を条件にして、変換元ポイントＩＤ及び変換先ポイントＩＤの組み合わせについて、変換元ポイント減少数を集計すればよい。また、ポイント変換履歴情報は、この集計結果に基づいて、変換元ポイント種類の管理者から変換先ポイント種類の管理者へ請求される変換ポイント分の対価を示すようにしてもよい。この場合、相互に変換が行われている場合には、ポイント変換履歴を集計する際に相殺したり、対価を算出する際に相殺したりすればよい。
【００６２】
また、図２６に示すポイント変換履歴テーブルであれば、変換日を条件にして、変換元ポイントＩＤ及び変換先ポイントＩＤの組み合わせについて、ポイント割引数をさらに集計させるようにすればよい。この場合、ポイント変換履歴情報は、当該ポイント割引分の対価を示すようにすればよい。このとき、当該ポイント割引分の対価を変換元ポイント種類の管理者又は／及び変換先ポイント種類の管理者に配分できるように、当該対価のうち変換元ポイント種類の管理者に対する配分又は／及び変換先ポイント種類の管理者に対する配分を示すようにすればよい。
【００６３】
以下に、ポイント連携システム１０の動作について説明する。
【００６４】
図１２は、ポイント連携サービスの提供を受けるべく、ユーザが携帯電話２４からポイント連携サーバ１４にアクセスした際に、該携帯電話の表示部に表示されるログイン画面（ＩＤ及びパスワード入力画面）の一例を示している。この画面において、ポイント連携サービスに関して、同ユーザに対して登録されているＩＤ及びパスワード、すなわち共通ユーザ情報テーブル（図３参照）に記憶される共通ユーザＩＤ及び共通パスワードを入力すると、ユーザは、ＣＧＩ（ＣｏｍｍｏｎＧａｔｅｗａｙ  Ｉｎｔｅｒｆａｃｅ）によって実現されたポイント連携サービスを利用することができるようになっている。なお、ポイント連携サーバ１４では、同図のログイン画面において入力されたＩＤ及びパスワード（具体的にはこれらを示すデータ）を受信すると、その真偽を確認するようになっている。そして、該ＩＤ及びパスワードが正当であると確認された場合には、図１３に示されるようなサービスメニュー画面を表示するための画面データを携帯電話２４に送信するようになっている。
【００６５】
図１３は、携帯電話２４の表示部に表示されるサービスメニュー画面の一例を示している。同画面はポイント連携サーバ１４から送信される画面データに基づいて表示される。同メニューに示されるように、連携対象とするポイントを登録するサービス（「ポイント連携登録」）と、ポイントの変換を実行するサービス（「ポイント変換」）と、ポイントを利用するサービス（「ポイント利用」）とがメニューとして含まれている。
【００６６】
以下に、図１３に示されるメニューにおいて、ユーザが「ポイント連携登録」を選択した場合に、携帯電話２４の表示部に表示される画面の一例について説明する。本ポイント連携システム１０において、ユーザは、ポイント連携サービスに参加しているポイント種類（図６参照）から、連携対象とするポイント種類を各自選択するようになっており、この「ポイント連携登録」メニューにおいて、連携対象とするポイント種類を選択できるようになっている。なお、本ポイント連携システム１０においては、連携対象として各自選択したポイント種類のみを、変換元又は変換先ポイント種類として選択することができるようになっているため、ポイント変換を行う場合には、この「ポイント連携登録」メニューにおいて、連携対象とするポイント種類を選択しておく必要がある。
【００６７】
図１４は、図１３に示されるメニューにおいて、ユーザが「ポイント連携登録」を選択した場合に、携帯電話２４の表示部に表示されるポイント連携登録画面の一例を示している。同画面はポイント連携サーバ１４から送信される画面データに基づいて表示される。同図に示すように、ユーザが「ポイント連携登録」を選択すると、ポイント連携サーバ１６で連携対象として登録されているポイント種類、すなわちポイント連携情報テーブル（図６参照）に登録されているポイント種類のポイント名が表示される。各ポイント名表示は、リンクボタンになっている。ここで、既に連携対象として選択されているポイント種類については、選択が制限されるように表示すると好適である。また、ポイント名は、５０音順で表示したり、業種別に区分けして表示したりすればよい。業種別に表示する場合には、ポイント連携情報テーブル（図６参照）において、ポイントＩＤに対応づけて業種情報を記憶するようにすればよい。この画面において、ユーザは、連携対象とするポイント種類のポイント名表示（リンクボタン）を選択する。ポイント名表示が選択されると、選択されたポイント種類のポイントＩＤがポイント連携サーバ１４に送信される。ポイント連携サーバ１４はポイントＩＤ（具体的にはこれを示すデータ）を受信すると、図１５に示されるような、ポイント連携登録対象に対するログイン画面を表示するための画面データを携帯電話２４に送信する。
【００６８】
図１５は、携帯電話２４の表示部に表示されるポイント連携登録対象に対するログイン画面の一例（同図の例は、「Ａ書店」が選択された場合）を示している。同画面はポイント連携サーバ１４から送信される画面データに基づいて表示される。この画面において、ユーザは、「Ａ書店」のポイントサービスに関して、ユーザに対して登録されているＩＤ及びパスワード、すなわち会員情報テーブル（図５（ａ））に記憶される個別ユーザＩＤ及び個別パスワードを入力する。入力された個別ユーザＩＤ及び個別パスワード（具体的にはこれらを示すデータ）はポイント連携サーバ１４に送信される。ポイント連携サーバ１４はその正当性を確認すると、図１６に示されるようなポイント連携登録確認画面を表示するための画面データを携帯電話２４に送信する。
【００６９】
図１６は、携帯電話２４の表示部に表示されるポイント連携登録確認画面の一例を示している。同画面はポイント連携サーバ１４から送信される画面データに基づいて表示される。同図に示すように、個別ユーザＩＤ等の正当性が確認された旨のメッセージと、「ポイント連携登録する」ボタンが表示されている。この画面において、「ポイント連携登録する」ボタンが選択されると、ポイント連携サーバ１４においてポイント連携登録処理が実行され、ポイント連携登録画面（図１４参照）において選択されたポイントが連携対象として登録される。具体的には、個別ユーザ情報テーブル（図４参照）及びポイント情報テーブル（図８参照）に新たにレコードが追加される。ポイント連携登録処理については後述する（図２２参照）。
【００７０】
次に、図１３に示されるメニューにおいて、ユーザが「ポイント変換」を選択した場合に、携帯電話２４の表示部に表示される画面の一例について説明する。
【００７１】
図１７は、図１３に示されるメニューにおいて、ユーザが「ポイント変換」を選択した場合に、携帯電話２４の表示部に表示される変換元ポイント選択画面の一例を示している。同画面はポイント連携サーバ１４から送信される画面データに基づいて表示される。同図に示すように、ユーザが「ポイント変換」を選択すると、該ユーザが連携対象として登録したポイント種類（該ユーザに対応づけて、個別ユーザ情報テーブル（図４参照）に記憶されるポイント種類）のポイント名と、「次へ」ボタンが表示されている。なお、各ポイント名に関連付けて各ポイント残高が表示されるようにしてもよい。この画面において、ユーザは、ポイント名が表示されるポイント種類のうち少なくとも１つを変換元として選択し、「次へ」ボタンを選択する。同図の例では、「Ｂビデオショップ」と「Ｃ量販店」とが変換元として選択されている。「次へ」ボタンが選択されると、選択されたポイント種類のポイントＩＤ（具体的にはポイントＩＤ（変換元データベース識別情報）を示すデータ）がポイント連携サーバ１４に送信される。
【００７２】
図１８は、図１７に示される変換元ポイント選択画面において、ユーザが変換元とするポイント種類を選択し、「次へ」ボタンを選択した場合に、携帯電話２４の表示部に表示される変換先ポイント選択画面の一例を示している。同画面はポイント連携サーバ１４から送信される画面データに基づいて表示される。同図に示すように、該ユーザが連携対象として登録したポイント種類のポイント名と、「次へ」ボタンが表示されている。なお、変換元ポイント選択画面において変換元として選択されたポイント種類については、選択が制限されるように表示すると好適である。また、各ポイント名に関連付けて各ポイント残高が表示されるようにしてもよい。この画面において、ユーザは、ポイント名が表示されるポイント種類のうち１つを選択し、「次へ」ボタンを選択する。同図の例では、「Ａ書店」が変換先として選択されている。「次へ」ボタンが選択されると、選択されたポイント種類のポイントＩＤ（具体的にはポイントＩＤ（変換先データベース識別情報）を示すデータ）がポイント連携サーバ１４に送信される。
【００７３】
図１９は、図１８に示される変換先ポイント選択画面において、ユーザが変換先ポイント種類を選択し、「次へ」ボタンを選択した場合に、携帯電話２４の表示部に表示される変換実行確認画面の一例を示している。同画面はポイント連携サーバ１４から送信される画面データに基づいて表示される。同図に示すように、図１７に示される変換元ポイント選択画面において選択されたポイント種類について、その残高と、そのポイントを変換した場合に変換先ポイント種類のポイント残高に加算されるポイント数と、が表示されている。例えば、「Ｂビデオショップ」の場合、現在ポイント残高は「１００」であり、これを「Ａ書店」のポイントに変換すると、「Ａ書店」のポイントの残高が「２００」加算されることを示している。変換した場合に変換先ポイント種類の残高に加算されるポイント数は、変換レート情報（図７参照）に基づいて算出される。この場合、変換レート情報（図７参照）に基づいて、変換不可能とされるポイント種類については、その旨を表示するようにすればよい。詳細については後述する（図２３参照）。また、同図に示すように、「変換実行」ボタンが表示されている。この画面において、ユーザは変換元ポイント種類を最終的に選択し（確認し）、「変換実行」ボタンを選択する。「変換実行」ボタンが選択されると、ポイント連携サーバ１４にポイント変換要求として、共通ユーザＩＤ、変換先ポイントＩＤ、変換先ポイントＩＤ（具体的にはこれらを示すデータ）が送信され、ポイント変換処理が実行される。ポイント変換処理の詳細については後述する（図２４参照）。
【００７４】
図２０は、図１３に示されるメニューにおいて、ユーザが「ポイント利用」を選択した場合に、携帯電話２４の表示部に表示される利用ポイント選択画面の一例を示している。同画面はポイント連携サーバ１４から送信される画面データに基づいて表示される。同図に示すように、ユーザが「ポイント利用」を選択すると、該ユーザが連携対象として登録した（ポイント連携登録した）ポイント種類のポイント名と、「次へ」ボタンが表示される。なお、各ポイント名に関連付けて各ポイント残高が表示されるようにしてもよい。この画面において、ユーザは、ポイント名が表示されるポイント種類のうち１つを選択し、「次へ」ボタンを選択する。同図の例では、「Ａ書店」が選択されている。「次へ」ボタンが選択されると、図１５に示されるログイン画面が表示され、入力されるＩＤ及びパスワードの正当性が確認されると、図２１に示すようなバーコード画像表示画面が携帯電話２４の表示部に表示される。同画面はポイント連携サーバ１４から送信される画面データに基づいて表示される。
【００７５】
バーコード画像は、例えば、ポイント管理データベース４８において管理されるポイント情報（図８〜図１０参照）に基づいて生成される。バーコード画像は、例えば、ポイントＩＤや個別ユーザＩＤ等の情報を含むようにすればよい。また、ポイント残高の情報を含むようにしてもよい。こうすれば、ユーザは、このバーコード画像が表示された携帯電話２４を、携帯電話表示バーコード読み取り機器が設置された所定店舗等（同図の例であれば、「書店Ａ」）に持って行くことで、例えば商品購入の際にポイントカードの代わりに使用することができるようになる。このため、ポイントカードを発行を受けていないユーザであっても、ＩＤ（個別ユーザＩＤ）及びパスワード（個別パスワード）の発行さえ受けていれば、ポイントを利用することができるようになる。
【００７６】
なお、ポイント連携登録（図１４〜図１６参照）において、ＩＤ（個別ユーザＩＤ）及びパスワード（個別パスワード）の発行を受けてなくとも、ポイント連携登録できるようにした場合、すなわち、ＩＤ（個別ユーザＩＤ）等の発行を受けていないポイント種類にポイント変換できるようにした場合、当該ポイント種類については、このバーコード画像を利用することによって、当該ポイントを利用できるようにすればよい。こうすれば、ＩＤ（個別ユーザＩＤ）及びパスワード（個別パスワード）の発行を受けてなくとも、変換したポイントを利用することができるようになる。
【００７７】
以下に、ポイント連携登録処理、すなわち、図１５に示されるログイン画面において「ログイン」が選択された後、ポイント連携登録が完了するまでの処理について説明する。図２２は、同処理を示すフロー図である。
【００７８】
図１５に示されるログイン画面において「ログイン」が選択されると、入力されたＩＤ及びパスワード（具体的にはこれらを示すデータ）が携帯電話２４からポイント連携サーバ１４へ送信される。ポイント連携サーバ１４はＩＤ及びパスワードを受信すると、そのＩＤ及びパスワードが正当であるか否かを確認する（Ｓ１０１）。具体的には、入力されたＩＤ及びパスワードの組み合わせが、図５（ａ）に示される会員情報テーブルに記憶されているか否かについて確認する。入力されたＩＤ及びパスワードが正当でない場合には、その旨を表示する画面データを携帯電話２４へ返信し、ポイント連携登録処理を中止する。
【００７９】
一方、入力されたＩＤ及びパスワードが正当である場合には、ポイント連携登録の実行確認を表示する画面データを携帯電話２４に返信し、例えばポイント連携登録確認画面（図１６参照）を携帯電話２４に表示させ、ポイント連携登録の実行確認を行う（Ｓ１０２）。ユーザによって、ポイント連携登録の実行確認がなされない場合、すなわち、ポイント連携登録確認画面（図１６参照）において、「ポイント連携登録する」ボタンが選択されない場合には、ポイント連携登録処理は中止となる。
【００８０】
一方、ユーザによって、ポイント連携登録の実行確認がなされた場合、すなわち、ポイント連携登録確認画面（図１６参照）において、「ポイント連携登録する」ボタンが選択された場合には、ポイント連携サーバ１４は、ポイント残高を取得する（Ｓ１０３）。具体的には、Ｓ１０１で正当性が確認されたＩＤに対応するポイント残高を、図５（ｂ）に示されるポイント利用情報テーブルより取得する。
【００８１】
次に、ポイント連携サーバ１４は、認証キーを生成する（Ｓ１０４）。認証キーは、例えば乱数に基づいて生成するようにすればよい。また、例えば、携帯機種ＩＤに基づいて生成するようにしてもよい。認証キーは、ポイント連携サーバ１４からポイント管理サーバ１６にアクセスする場合に、個別パスワードの代わりに使用されるものである。
【００８２】
次に、ポイント連携サーバ１４は、ポイント情報を更新する（Ｓ１０５）。すなわち、ポイント連携登録の対象とされたポイントに係るポイント情報（図８〜図１０参照）が更新される。例えば、図１６の場合であれば、「Ａ書店」のポイント、すなわち、ポイント「Ａ」に係るポイント情報（図８参照）に、Ｓ１０１で正当性が確認されたＩＤ、Ｓ１０４で生成された認証キー、Ｓ１０３で取得されたポイント残高の組み合わせのレコードが作成される。
【００８３】
そして、ユーザ情報が更新される（Ｓ１０６）。具体的には、個別ユーザ情報テーブル（図４参照）に、共通ユーザＩＤ（図１２に示されるログイン画面において入力されたＩＤ）、ポイントＩＤ（図１４で選択されたポイント種類を識別するポイントＩＤ）、Ｓ１０１で正当性が確認されたＩＤ、Ｓ１０４で生成された認証キーのレコードが作成される。
【００８４】
そして、ポイント連携登録処理が完了した旨を表示する画面データが携帯電話２４に返信され、本処理は完了する。なお、以上に説明した処理は、ポイント連携サーバ１４やポイント管理サーバ１６ａ〜１６ｃにおいてプログラムが実行されることによって実現される。
【００８５】
以下に、変換実行確認表示処理、すなわち、変換先ポイント選択画面（図１８参照）において、ユーザが変換先ポイント種類を選択し、「次へ」ボタンを選択した後、変換実行確認画面（図１９参照）が表示されるまでの処理について説明する。図２３は、同処理を示すフロー図である。
【００８６】
同図に示すように、ポイント連携サーバ１４は、変換元ポイント選択画面（図１７参照）において、変換元として選択されたポイント種類を取得する（Ｓ２０１）。変換元ポイント選択画面においてなされた選択は、例えば非表示属性のフォームに保持されるようにしてもよいし、ＵＲＬに引数として付加することによって保持されるようにしてもよい。ここでは、ポイント連携サーバ１４は、このように保持された情報を受信し、それらの情報から変換元として選択されたポイント種類を取得する。
【００８７】
次に、ポイント連携サーバ１４は、変換先ポイント選択画面（図１８参照）において、変換先として選択されたポイント種類を取得する（Ｓ２０２）。変換先ポイント選択画面においてなされた選択は、例えば非表示属性のフォームやＵＲＬに付加された引数から取得される。そして、ポイント連携サーバ１４は、Ｓ２０１で取得した変換元ポイント種類について、そのポイント残高を取得する（Ｓ２０３）。具体的には、Ｓ２０１で取得した変換元ポイント種類に対応するポイント情報（図８〜図１０）から取得する。
【００８８】
次に、ポイント連携サーバ１４は、変換先ポイント増加量を取得する（Ｓ２０４）。変換先ポイント増加量は、変換元ポイント種類のポイントを変換することによって、変換先ポイント種類の残高がどれだけ増加するかを示すものである。変換先ポイント増加量は、変換レート記憶部４０に記憶される変換レート情報に、Ｓ２０３で取得した残高を適用することによって取得される。
【００８９】
そして、変換実行確認画面を表示するための画面データを生成し、携帯電話２４へ返信する。携帯電話２４では、同画面データに基づいて、変換実行確認画面が表示される（Ｓ２０５）。変換実行確認画面には、変換元とするポイント名に関連づけて、Ｓ２０３で取得した残高と、Ｓ２０４で取得した変換先ポイント増加量とが表示されるように、画面データを生成する。以上で、本処理は完了する。なお、以上説明した処理は、ポイント連携サーバ１４やポイント管理サーバ１６ａ〜１６ｃにおいてプログラムが実行されることによって実現される。
【００９０】
以下に、ポイント変換処理、すなわち、変換実行確認画面（図１９参照）において、「変換実行」ボタンが選択された後の処理について説明する。図２４は、同処理を示すフロー図である。
【００９１】
変換実行確認画面（図１９参照）において、「変換実行」ボタンが選択されると、携帯電話２４からポイント連携サーバ１４へポイント変換要求（具体的にはポイント変換要求を示すデータ）が送信される。ポイント変換要求には、共通ユーザＩＤ（図１２に示されるログイン画面において入力されたＩＤ）、変換元ポイントＩＤ（図１７に示される変換実行選択画面において確認されたポイントを識別する）、変換先ポイントＩＤ（図１８に示される変換先ポイント選択画面において選択されたポイント種類を識別する）を示す情報が含まれている。図１９の場合であれば、変換元ポイントＩＤ（変換先データベース識別情報）として、ポイントＩＤ「Ｂ」「Ｃ」を示す情報が含まれ、変換先ポイントＩＤ（変換先データベース識別情報）として、ポイントＩＤ「Ａ」を示す情報が含まれる。変換要求受付部３２は、該ポイント変換要求を受信して受け付ける（Ｓ３０１）。
【００９２】
次に、更新要求生成部３４は、個別ユーザＩＤ及び認証キーを取得する（Ｓ３０２）。変換元更新要求生成部３６は、ポイント変換要求に含まれる共通ユーザＩＤに対応する個別ユーザＩＤ及び認証キーであって、ポイント変換要求に含まれる変換元ポイントＩＤに対応するものを、個別ユーザ情報テーブル（図４参照）から取得する。また、変換先更新要求生成部３８は、ポイント変換要求に含まれる共通ユーザＩＤに対応する個別ユーザＩＤ及び認証キーであって、ポイント変換要求に含まれる変換先ポイントＩＤに対応するものを、個別ユーザ情報テーブル（図４参照）から取得する。
【００９３】
次に、更新要求生成部３４は、ポイント情報テーブル（図８等参照）を参照したり更新したりするＣＧＩプログラムにアクセスするためのＵＲＬを取得する（Ｓ３０３）。変換元更新要求生成部３６は、ポイント変換要求に含まれる変換元ポイントＩＤに対応づけて、ポイント連携情報テーブル（図６参照）に記憶されるＵＲＬを取得する。変換先更新要求生成部３８は、ポイント変換要求に含まれる変換先ポイントＩＤに対応づけて、ポイント連携情報テーブル（図６参照）に記憶されるＵＲＬを取得する。
【００９４】
次に、変換元更新要求生成部３６は、ポイント変換要求に含まれる変換元ポイントＩＤに対応するポイント情報テーブル（ここでは、図９及び図１０参照）より変換元ポイント残高を取得する（Ｓ３０４）。Ｓ３０３において取得したＵＲＬに基づいて、ポイント情報テーブルアクセス用のＣＧＩプログラムに、Ｓ３０２で取得した個別ユーザＩＤと認証キーを引数として渡すことによって、変換元ポイント残高を取得する。
【００９５】
次に、変換先更新要求生成部３８は、変換先ポイント更新量を取得する（Ｓ３０５）。具体的には、ポイント変換要求に含まれる変換元ポイントＩＤそれぞれについて、ポイント変換要求に含まれる変換先ポイントＩＤに対する変換レートを、変換レート記憶部４０に記憶される変換レート情報から取得し、該変換レートをＳ３０４において取得されるポイント残高に適用することによって、変換先ポイント更新量（変換先ポイント増加量）を取得する。
【００９６】
この場合、Ｓ３０４において取得されるポイント残高に割引率を適用した後に、これに該変換レートを適用することによって、変換先ポイント更新量を取得するようにしてもよい。割引率は、ポイント変換要求に含まれる変換元ポイントＩＤそれぞれについて、ポイント変換要求に含まれる変換先ポイントＩＤに対する割引率（又は変換対象ポイント率）を、割引量記憶部に記憶される割引量情報（図２５参照）から取得するようにすればよい。
【００９７】
そして、変換元更新要求生成部３６は、Ｓ３０２において取得した個別ユーザＩＤ及び認証キー、Ｓ３０４において取得した変換元ポイント残高（変換元ポイント減少量）に基づいて、変換元更新要求（具体的には変換元更新要求を示すデータ）を生成し、変換元更新要求を実行する（例えば変換元更新要求を示すデータを送信する）。変換元更新要求が実行されると、変換元更新部４４は、該変換元更新要求に基づいて、ポイント情報を更新する（Ｓ３０６）。具体的には、Ｓ３０２において取得された個別ユーザＩＤに対応づけて記憶されるポイント情報を、Ｓ３０４において取得された変換元ポイント残高分減少するように更新する。換言すると、変換元更新要求生成部３６は、Ｓ３０３において取得したＵＲＬに基づいて、ポイント情報アクセス用のＣＧＩプログラムを起動させ、Ｓ３０２において取得した個別ユーザＩＤに対応づけて記憶されるポイント情報を、Ｓ３０４において取得した変換元ポイント残高分減少するように更新させる。
【００９８】
そして、変換先更新要求生成部３８は、Ｓ３０２において取得した個別ユーザＩＤ及び認証キー、Ｓ３０５において取得した変換先ポイント更新量に基づいて、変換先更新要求（具体的には変換先更新要求を示すデータ）を生成し、変換先更新要求を実行する（例えば変換先更新要求を示すデータを送信する）。変換先更新要求が実行されると、変換先更新部４６は、該変換先更新要求に基づいて、ポイント情報を更新する（Ｓ３０７）。具体的には、Ｓ３０２において取得された個別ユーザＩＤに対応づけて記憶されるポイント情報を、Ｓ３０５において取得された変換先ポイント更新量分増加するように更新する。換言すると、変換先更新要求生成部３８は、Ｓ３０３において取得したＵＲＬに基づいて、ポイント情報アクセス用のＣＧＩプログラムを起動させ、Ｓ３０２において取得した個別ユーザＩＤに対応づけて記憶されるポイント情報を、Ｓ３０５において取得した変換先ポイント更新量分増加するように更新させる。なお、Ｓ３０６又はＳ３０７において実行される更新の少なくとも一方が正常終了しない場合には、正常終了した方の更新についても破棄し、更新前の状態に戻すようにする。
【００９９】
次に、変換履歴更新部５０は、変換履歴記憶部５２に記憶される変換履歴テーブル（図１１参照）を更新する（Ｓ３０８）。変換履歴更新部５０は、ポイント変換要求に含まれる共通ユーザＩＤ、変換元ポイントＩＤ及び変換先ポイントＩＤ、Ｓ３０２において取得された個別ユーザＩＤ、Ｓ３０４において取得された変換元ポイント残高（変換元ポイント減少数）、Ｓ３０５において取得された変換先ポイント更新量（変換先ポイント増加数）を、変換日時とともに、変換履歴記憶部５２に記憶される変換履歴テーブル（図１１参照）に登録する。
【０１００】
そして、ポイント変換が正常に終了した旨を表示するための画面データを生成し、携帯電話２４に返信する。以上で、本処理は完了する。なお、以上に説明した処理は、ポイント連携サーバ１４やポイント管理サーバ１６ａ〜１６ｃにおいてプログラムが実行されることによって実現される。
【０１０１】
以上説明したように、本ポイント連携システム１０によれば、あるサービスに関連するポイントと他のサービスに関連するポイントとを連携することができるようになる。このため、ユーザはあるサービスに関連して貯めたポイントを、他のサービスに関連するポイントに変換して利用することができるようになる。また、本ポイント連携システム１０においては、ユーザは共通ユーザＩＤによって管理されるようになっている。そして、各サービスにおいて管理される個別ユーザは、この共通ユーザＩＤに対応づけて管理されるようになっている。このため、ユーザはポイント変換を実行する場合において、変換に係るポイントに関連するサービスの個別ユーザをそれぞれ指定することなく、共通ユーザＩＤを指定するだけで、ポイント変換を実行することができるようになっている。こうして、ユーザがあるポイントを他のポイントに容易に変換できるようになっている。
【０１０２】
ポイント連携システム１０によれば、ユーザは、例えば旅行先等で取得したポイントや少量ポイント等のような利用頻度の低いポイントを、他の利用頻度の高いポイントに変換することができるようになり、低利用頻度のポイントを有効利用することができるようになる。また、ポイントサービス提供者（ポイントを発行する業者等）は、ポイントの相互変換が可能となることによって、ポイントサービスを拡張することができるようになる。
【０１０３】
また、ポイント連携システム１０によれば、ポイント変換を行われる際に、ポイントの割引が行われるようにすることができる。こうすれば、ポイント変換において、変換に係るポイントの実質的価値が減少されるようになる。このため、ポイントを変換せずに利用する方がユーザにとって有利となる。したがって、変換元のポイントサービス提供者は、ユーザが基本的にはポイントを変換せずに自サービスにおいて使用することを期待できるようになる。また、割引によってポイントの価値が実質的に減少されるとしても、ポイントの有効利用を図るために、ユーザがポイント変換を行うことを期待できる。このため、変換先のポイントサービス提供者は、変換元のポイントサービス提供者の顧客の来店や購買を期待できるようになる。すなわち、集客力の向上を期待できるようになる。例えば、ポイント連携システム１０によって提供されるポイント連携サービスに加入していない同業者がある場合、当該同業者に比較して、集客力の向上を期待できるようになる。
【０１０４】
なお、本発明は上記実施の形態に限定されるものではない。
【０１０５】
例えば、以上では携帯電話２４を端末として説明したが、端末はパーソナルコンピュータ、ＰＤＡ（携帯情報端末）、家庭用ゲーム機や携帯ゲーム機であってもよい。
【０１０６】
また、例えば、ポイント管理データベース４８において、会員情報テーブル（図５（ａ））、ポイント利用情報テーブル（図５（ｂ））、ポイント情報テーブル（図８等）は統合されるようにしてもよい。
【０１０７】
また、例えば、ポイント変換において、以上では変換元ポイント種類のポイント残高がすべて変換先ポイント種類に変換されることとして説明したが、ユーザが、変換元ポイント種類のポイント残高のうち変換するポイント量（変換元ポイント減少量）を指定できるようにしてもよい。この場合、変換元ポイント選択画面（図１７参照）や変換実行確認画面（図１９参照）において指定できるようにすればよい。この場合、携帯電話２４からポイント連携サーバ１４に送信されるポイント変換要求に変換元ポイント減少量を示す情報が含まれるようにすればよい。例えば、変換実行確認画面（図１９参照）において、変換元ポイント種類のポイント残高を表示するとともに、変換するポイント量指定欄をポイント残高を上限として増減できるように設ければよい。また、この場合、計算機能と、変換レート情報記憶機能と、を画面に含ませるようにし、変換するポイント量指定欄が変更された場合には、該変更に応じて変換先ポイント更新量の表示が変更されるようにすればよい。また、例えば、ユーザが、変換先ポイント種類について増加したい量（変換先ポイント増加量）を指定できるようにしてもよい。この場合、変換先ポイント選択画面（図１８参照）において指定できるようにすればよい。また、この場合、携帯電話２４からポイント連携サーバ１４に送信されるポイント変換要求に変換先ポイント増加量を示す情報が含まれるようにすればよい。
【０１０８】
また、例えば、図１３に示されるメニューにおいて、「ポイント変換」が選択された場合には、変換先ポイント選択画面（図１８参照）、変換元ポイント選択画面（図１７参照）、変換実行確認画面（図１９参照）の順に、画面遷移するようにしてもよい。この場合、変換元ポイント選択画面では、変換先ポイント選択画面において選択されたポイント種類に変換可能なポイント種類を変換レート情報（図７参照）に基づいて取得し、同ポイント種類のみを表示するようにすればよい。また、同ポイント種類のうち、ポイント残高があるポイント種類のみを表示するようにしてもよい。
【０１０９】
【発明の効果】
以上説明したように、本発明によれば、１又は複数のあるサービスに関連するポイントから、他のサービスに関連するポイントへ変換することができ、あるサービスにおいてユーザが貯めたポイントを、他のサービスで利用できるようになる。このため、一方のサービスのユーザが他方のサービスに興味を抱くようにできる。
【図面の簡単な説明】
【図１】本発明の実施形態に係るポイント連携システムのシステム構成を示す図である。
【図２】本発明の実施形態に係るポイント連携システムの機能ブロックを示す図である。
【図３】共通ユーザ情報テーブルの一例を示す図である。
【図４】個別ユーザ情報テーブルの一例を示す図である。
【図５】会員情報テーブル及びポイント利用情報テーブルの一例を示す図である。
【図６】ポイント連携情報テーブルの一例を示す図である。
【図７】変換レート情報テーブルの一例を示す図である。
【図８】ポイント情報テーブルの一例を示す図である。
【図９】ポイント情報テーブルの一例を示す図である。
【図１０】ポイント情報テーブルの一例を示す図である。
【図１１】変換履歴テーブルの一例を示す図である。
【図１２】ログイン画面の一例を示す図である。
【図１３】サービスメニュー画面の一例を示す図である。
【図１４】ポイント連携登録画面の一例を示す図である。
【図１５】ログイン画面の一例を示す図である。
【図１６】ポイント連携登録確認画面の一例を示す図である。
【図１７】変換元ポイント選択画面の一例を示す図である。
【図１８】変換先ポイント選択画面の一例を示す図である。
【図１９】変換実行確認画面の一例を示す図である。
【図２０】利用ポイント選択画面の一例を示す図である。
【図２１】バーコード画像表示画面の一例を示す図である。
【図２２】ポイント連携登録処理を示すフロー図である。
【図２３】変換実行確認表示処理を示すフロー図である。
【図２４】ポイント変換処理を示すフロー図である。
【図２５】割引量情報テーブルの一例を示す図である。
【図２６】変換履歴テーブルの一例を示す図である。
【符号の説明】
１０  ポイント連携システム、１２  データ通信ネットワーク、１４  ポイント連携サーバ、１６ａ，１６ｂ，１６ｃ  ポイント管理サーバ、１８，２０ａ，２０ｂ，２０ｃ  データベース、２４  携帯電話、２６  携帯電話基地局、３０  ユーザ情報記憶部、３２  変換要求受付部、３４  更新要求生成部、３６  変換元更新要求生成部、３８  変換先更新要求生成部、４０  変換レート記憶部、４２  更新部、４４  変換元更新部、４６  変換先更新部、４８  ポイント管理データベース、５０  変換履歴更新部、５２  変換履歴記憶部、５４  変換履歴出力部。
【図１】
2004185589.tif 000003
【図２】
2004185589.tif 000004
【図３】
2004185589.tif 000005
【図４】
2004185589.tif 000006
【図５】
2004185589.tif 000007
【図６】
2004185589.tif 000008
【図７】
2004185589.tif 000009
【図８】
2004185589.tif 000010
【図９】
2004185589.tif 000011
【図１０】
2004185589.tif 000012
【図１１】
2004185589.tif 000013
【図１２】
2004185589.tif 000014
【図１３】
2004185589.tif 000015
【図１４】
2004185589.tif 000016
【図１５】
2004185589.tif 000017
【図１６】
2004185589.tif 000018
【図１７】
2004185589.tif 000019
【図１８】
2004185589.tif 000020
【図１９】
2004185589.tif 000021
【図２０】
2004185589.tif 000022
【図２１】
2004185589.tif 000023
【図２２】
2004185589.tif 000024
【図２３】
2004185589.tif 000025
【図２４】
2004185589.tif 000026
【図２５】
2004185589.tif 000027
【図２６】
2004185589.tif 000028